(57)【要約】【課題】  通常はテレビ画像などを放映しながら、必要時には遊技ホール全体に情報を伝えるための表示ができる視認性に優れた遊技機島の画像表示装置を提供する。【解決手段】  低層に形成したスロット島１に組み込まれたメダル循環装置の主要部が収められた収納ボックス４には、スロット島１の側に向けて画像表示部６が装着され、メダルサンド３には、その音声をチャンネル選択によって聞くことのできるイヤホン接続用のイヤホンジャック２２が配設されている。画像表示部６にはテレビ放送、ビデオ映像、広告画像などが表示されると同時に、必要に応じて遊技ホールによる個別情報を表示することができる。さらに、イヤホンジャック２２を、骨伝導ホン接続用の骨伝導ホンジャックとすることで、周囲の雑音に邪魔されずに明瞭な音声が聴き取れるようになる。【選択図】  図１
2007029695.tif 000002
【特許請求の範囲】
【請求項１】
遊技機と遊技媒体貸出機とを交互に複数並設した遊技機列によって形成される遊技機島に設けられる画像表示装置であって、該遊技機島の上部一端部には、前記遊技機列の側に画面を向けた画像表示部が装着され、前記遊技機または前記遊技媒体貸出機あるいはこれらを組み込む外枠の適所には、各遊技機に対応して、前記画像表示部に関わる音声をチャンネル選択によって聞くことのできるイヤホン接続用のイヤホンジャックが配設されていることを特徴とする遊技機島の画像表示装置。
【請求項２】
前記遊技機島の画像表示装置は店内管理コンピュータに接続され、前記画像表示部にテレビ放送、ビデオ映像、広告画像などを表示することができると同時に、遊技ホールによる個別情報を表示することができる制御機能を備えていることを特徴とする請求項１に記載の遊技機島の画像表示装置。
【請求項３】
前記イヤホンジャックは、骨伝導ホン接続用の骨伝導ホンジャックであることを特徴とする請求項１または請求項２に記載の遊技機島の画像表示装置。
【発明の詳細な説明】
【技術分野】
【０００１】  本発明は、遊技機島に装備される遊技機の画像表示装置に関し、特に低層形の遊技機島に好適する画像表示装置に関する。
【背景技術】
【０００２】  最新の遊技機には、特に普及の目覚しい液晶ディスプレイを利用して、遊技客を飽きさせないためのテレビ放送や、顧客サービスの一環としての多彩な遊技データを画像によって提供できるようにしたものがある。たとえば特許文献１には、外部に設置されるディスプレイにテレビジョン放送、管理情報などを上映／表示し、多角的な情報の提供を可能にしたパチンコ・スロット用呼出し表示装置が開示されている。このディスプレイは、出力端子を介して遊技機の本体外部に接続するようになっている。また、遊技機本体に液晶ディスプレイを内装させた遊技機は、現在、数多く実用されている。【０００３】
【特許文献１】  特開平６−２０２５９４号公報
【発明の開示】
【発明が解決しようとする課題】
【０００４】  本出願人は、島の高さを低く抑えた低層形の遊技機島を実現させてきた。すなわち、パチンコ島に関しては、パチンコ球を各パチンコ台に配球するために島の長手方向に沿って設置される搬送装置を、従前のように傾斜面を転がすという構造とせずに、水平面を搬送する水平搬送装置でもって、全長に亘る高さを低く抑えることに成功した（特開２０００−２７５６７１号公報など参照）。また、スロット島に関しては、メダルの回収、洗浄、貯留、補給を行う新たな循環機構システムを提供できるようにしたことで、低層形のスロット島を実現している（特開２００５−７１２７号公報など参照）。【０００５】  この発明は、上記のような低層の遊技機島の出現によって遊技機島の上部に創出される空きスペースを有効に利用しようとするものである。すなわち、従来の画像表示部は、上記のように遊技機ごとに一対一に対応して装着されたものである。しかしながら、このような表示手段は、表示内容を切り替えるためのボタンの選択権が個人にあり、遊技店内の多くの遊技客に対するお知らせや店員にエラー発生情報などを伝えることについては、必ずしも十分に機能するものではなかった。本発明が目的とするところは、テレビ放送などの画像を提供することによって顧客サービスを充実させると同時に、必要のあるお知らせ情報については多くの人に見てもらえるようにすることにある。また、その際に、音声を周囲の騒音に邪魔されずに聞きとりやすくすることにある。
【課題を解決するための手段】
【０００６】  この発明は、上記のような課題に鑑みなされたもので、請求項１に記載の遊技機島の画像表示装置は、遊技機と遊技媒体貸出機とを交互に複数並設した遊技機列によって形成される遊技機島に設けられる画像表示装置であって、該遊技機島の上部一端部には、前記遊技機列の側に画面を向けた画像表示部が装着され、前記遊技機または前記遊技媒体貸出機あるいはこれらを組み込む外枠の適所には、各遊技機に対応して、前記画像表示部に関わる音声をチャンネル選択によって聞くことのできるイヤホン接続用のイヤホンジャックが配設されていることを特徴とする。【０００７】  また、請求項２に記載の遊技機島の画像表示装置は、前記遊技機島の画像表示装置はホールコンピュータに接続され、前記画像表示部にテレビ放送、ビデオ映像、広告画像などを表示することができると同時に、遊技ホールによる個別情報を表示することができる制御機能を備えていることを特徴とする。【０００８】  さらに、請求項３に記載の遊技機島の画像表示装置は、前記イヤホンジャックは、骨伝導ホン接続用の骨伝導ホンジャックであることを特徴とする。
【発明の効果】
【０００９】  本発明の遊技機島の画像表示装置は、空きスペースが有効利用されると同時に、映像による効果によって遊技ホール内を楽しく華やかに演出することができ、集客力の向上につなげることができる。テレビやビデオの放映をすることで顧客を飽きさせることがなくなり、サービスの向上が図られる。また、遊技店内全体に共通するお知らせ情報や、出玉率などの出玉情報についても多くの人に一目瞭然に伝えることができるようになる。遊技機島に発生する故障や玉詰まりなどのエラー情報は、画像であれば発生箇所や発生状況などについても表示することが可能で、近くにいる店員に素早く気付かせることができる。【００１０】  音声は、イヤホンをイヤホンジャックに接続すれば聞くことができ、ジャンルの異なる音楽やラジオ放送などのほか、チャンネルを合わせれば、画像表示部に提供中のテレビ音声なども得ることができる。イヤホンの代わりに骨伝導により音声を聞くタイプのものとすれば、遊技店内の雑音に邪魔されることなく明瞭な音声を聞くことができるようになる。また、骨伝導による音声の取得では、両耳が塞がれないので、音楽などを聴いていても緊急の店内放送なども聞きとることができる。
【発明を実施するための最良の形態】
【００１１】  次に、この発明の一実施例について、スロットマシンを一例にして図を参照しながら説明する。図１は、本発明に関わるスロット島の外観の斜視図、図２は、遊技ホールにおけるシステム構成図である。まず、図１において、スロット島１（遊技機島）は、スロットマシン２（遊技機）とメダルサンド３（遊技媒体貸出機）とを交互に複数並設した遊技機列によって形成されている。このスロット島１は、２列の遊技機列を背中合わせに配設したもので、両面形の島となっている。【００１２】  スロット島１の内部中央部には、島の長手方向に沿って図示しないメダル循環装置が組み込まれている。このメダル循環装置は、スロットマシン２およびメダルサンド３に具備された図示しないホッパタンクにメダルを供給するための補給コンベア、スロット島１の下部に延設されて排出されるメダルを受け入れて回収する回収コンベア、それにリフタ装置・メダル洗浄機・脱水機・貯留タンクなどを収納してスロット島１の島端に備えられた収納ボックス４等によって構成されたものである。収納ボックス４の通路に面した側面には、メダル計数機５が設置されている。また、収納ボックス４の遊技機列に面した側面には、画像表示部６が装着されている。【００１３】  遊技機島１の上部に取り付けられた対向する２列の幕板７の間には、図示しない紙幣搬送装置が配備されている。メダルサンド３の紙幣挿入口８より遊技客によって投入された紙幣は、紙幣搬送装置によって搬送されたのち、収納ボックス４と反対の島端に配設された金庫９に収納される。紙幣が受け入れられると、メダルサンド３の下部に備わるノズルシュート１０から貸し出し用のメダルが排出されて、スロットマシン２の下部に設けられたメダル受皿１１に受け入れられる。この貸し出されたメダルをスロットマシン２の投入口より投入することによって、ゲームが開始できる状態となる。【００１４】  メダルサンド３の正面には、遊技客がゲームを終了して残額を釣銭として受け取るときに押下する精算ボタン（図示せず）と、紙幣を投入して遊技媒体としてのメダルの貸し出しを受けるときに押下する貸出ボタン（図示せず）とが取り付けられている。また、ＬＥＤや液晶パネルなどからなる表示部１２が備えられ、種々のデータが表示されるようになっている。この表示部１２は、たとえば、メダルの貸出枚数や売上情報、メダルサンド３の中で生じた異常などを適宜表示するためのデータ表示部と、遊技客が投入した紙幣の残額を表示して、ゲームを継続するときのための金額を留保するための残額表示部とによって構成されるものである。【００１５】  図２に示す遊技ホール内のシステム構成図には、スロット島１とともに、パチンコ機１３（遊技機）と玉貸機１４（遊技媒体貸出機）とによって形成されたパチンコ島１５および玉計数機１６が描かれている。スロット島１もパチンコ島１５も、基本的構成は同じなので、以降もスロット島１について説明を続ける。【００１６】  スロットマシン２とメダルサンド３とが一対となってコントロールボックス１７に繋がっている。コントロールボックス１７は島中継ユニット１８に集結されて、一つのスロット島１を形成している。さらに複数の島中継ユニット１８が、島管理ユニット１９と繋がれている。また、島管理ユニット１９には、メダル計数機５および画像表示部１１が接続している。そして、この島管理ユニット１９には、これと接続する前記装置類に関する情報が送信されてくるように構成されている。【００１７】  送信されてくる情報とは、たとえば、メダルサンド２における投入金額，残金，メダル貸出枚数、スロットマシンにおける大当たり回数，メダル払出枚数、メダル投入枚数、メダル循環装置に存在する総メダル枚数，貯留タンクの貯留枚数、紙幣搬送装置内の各所に装着されているセンサからのチェック情報、金庫９に収容されている紙幣の枚数などである。また、メダル計数機５についても、計数結果やエラー情報などが送信されてくる。【００１８】  このような各種データは、島管理ユニット１９からホールサーバ２０および店内管理コンピュータ２１に送られ、貯メダルの管理や会員管理などとともに一括管理され、最終的には営業日の売上が管理される。また、店内管理コンピュータ２１は、画像表示部６に対するテレビ放送やビデオ映像、広告画像などの配信を制御する。そして、必要に応じて、遊技ホール全体に伝えるための一般的な告知情報や、出玉情報、遊技機島に関わるエラー情報などといった個別情報の表示を指示することのできる制御機能を備えている。【００１９】  ところで、メダルサンド３には、それぞれイヤホン接続用のイヤホンジャック２２が取り付けられている。このイヤホンジャック２２は、スロットマシン２、あるいは幕板７の如き外枠に設けたものであっても構わない。イヤホンジャック２２の近傍には図示しない音声選択チャンネルが配設され、チャンネルを合わせることによって、提供される各ジャンルの音楽やラジオ放送などを聴くことができるように形成されている。また、チャンネル選択によって、画像表示部６に映し出される画像に関わる音声を聞くこともできるようになっている。【００２０】  さらに、イヤホンジャック２２を骨伝導ホン接続用の骨伝導ホンジャック２２とすることで、騒がしい場所でより明瞭に音声を聞く場合に好適するようになる。骨伝導は、頭蓋骨に与えられた振動を直接聴覚神経に伝えるものであり、一般のイヤホンに相当する部分は耳孔に挿入せずに、顔面の一部と接触させて使用される。顔面部への取り付けは、通常はヘッドホンのようにして行われる。骨伝導ホンは、耳が塞がれることがないので、店内放送なども聞くことができる。【００２１】  なお、本実施例において、画像表示部６は、収納ボックス４の遊技機列に面する側面に一画面としたが、２列ある遊技機列の各々に向けて画面を傾けた２つの画像表示部６による構成としてもよい。
【図面の簡単な説明】
【００２２】
【図１】  本発明になる画像表示装置の組み込まれたスロット島の外観斜視図である。
【図２】  遊技ホールにおけるシステム構成図である。
【符号の説明】
【００２３】１  スロット島（遊技機島）
２  スロットマシン（遊技機）
３  メダルサンド（遊技媒体貸出機）
４  収納ボックス
６  画像表示部
１８  島中継ユニット
１９  島管理ユニット
２１  店内管理コンピュータ
２２  イヤホンジャック（骨伝導ホンジャック）
【図１】
2007029695.tif 000003
【図２】
2007029695.tif 000004